(57)【要約】      （修正有）【課題】製造時にドライバー等の工具を使用せずにハンドルの取付作業を容易に行うことができるとともに、携行時においてハンドルの脱落を防止することが可能な収納容器のハンドル取付構造を提供する。【解決手段】蓋体１の上面に凹状に形成されたハンドル収納凹部１０と、ハンドル収納凹部内に設けられ、ハンドル３０を回動自在に軸着するハンドル取付部２０と、を備える。ハンドル取付部は、その両側面にハンドルの軸部３２ａを軸受けする軸受穴２１を有し、ハンドル収納凹部は、軸受穴の近傍に、ハンドル収納凹部の内壁１４から突設された止め部１３を有する。止め部は、ハンドルの縦杆部３２の拡開を抑制する。【選択図】図１
0003229290.tif 000002
【実用新案登録請求の範囲】
【請求項１】
容器本体の上面を被蓋する蓋体にハンドルを回動自在に取り付ける収納容器のハンドル取付構造であって、
前記蓋体の上面に凹状に形成された前記ハンドルを収納するためのハンドル収納凹部と、
前記ハンドル収納凹部内に設けられ、前記ハンドルを回動自在に軸着するハンドル取付部と、を備えてなり、
前記ハンドル取付部は、その両側面に前記ハンドルの軸部を軸受けする軸受穴を有し、
前記ハンドル収納凹部は、前記軸受穴の近傍における前記ハンドル収納凹部の内壁から突設された止め部を有することを特徴する収納容器のハンドル取付構造。
【請求項２】
止め部は、略立方形状に形成されることを特徴とする請求項１記載の収納容器のハンドル取付構造。
【請求項３】
ハンドル収納凹部は、ハンドル取付部の軸受穴の近傍において、前記ハンドル収納凹部の底面部よりも低い段部を有することを特徴とする請求項１記載の収納容器のハンドル取付構造。
【請求項４】
ハンドル取付部は、軸受穴の上縁付近に設けられた孔部を有することを特徴とする請求項３記載の収納容器のハンドル取付構造。
【請求項５】
孔部は、複数の小孔からなることを特徴とする請求項４記載の収納容器のハンドル取付構造。
【請求項６】
ハンドルは、把手部と、前記把手部の両端から直角方向に延出された縦杆部と、が一体形成され、前記縦杆部は、長手方向の先端においてハンドル収納凹部の段部の湾曲面と同程度の湾曲で丸みを帯びて形成された第一角部と、他方を直角形状に形成した第二角部と、を有することを特徴とする請求項１記載のハンドル取付構造。
【考案の詳細な説明】
【技術分野】
【０００１】
本考案は、主として工具や釣具などを収納して携行するための収納容器のハンドル取付構造に関する。
【背景技術】
【０００２】
従来、工具や釣具などを収納する収納容器は、軽量化のため合成樹脂を主体として形成されるものが提案されており、容器本体と同様の素材で形成され、蓋体の上面に設けられた軸受穴にハンドルの先端に設けられた軸部を回動自在に差し込むことを特徴する簡易的なハンドル取付構造が採用されている（例えば特許文献１参照）。
【先行技術文献】
【特許文献】
【０００３】
【特許文献１】特開平９−７６１７６号公報
【考案の概要】
【考案が解決しようとする課題】
【０００４】
しかしながら、上述したハンドル取付構造は、製造時においてドライバーなどの工具を使用せずに簡単に組み立て作業を容易に行うことが可能であるが、重量の大きい収納物を収納した収納容器を携行した際において、ハンドル取付構造における軸受穴周辺に荷重が掛かることで、ハンドルが拡開したり、軸部が変形したりしてハンドルが脱落してしまうおそれがあるものであった。
【０００５】
したがって、簡易な組み立て作業によってハンドルを取り付けることができるとともに、携行時においてハンドルの脱落をしっかり防止することが可能な収納容器のハンドル取付構造が望まれている。
【課題を解決するための手段】
【０００６】
本考案は、上記課題に鑑み、容器本体の上面を被蓋する蓋体にハンドルを回動自在に取り付ける収納容器のハンドル取付構造であって、
前記蓋体の上面に凹状に形成された前記ハンドルを収納するためのハンドル収納凹部と、
前記ハンドル収納凹部内に設けられ、前記ハンドルを回動自在に軸着するハンドル取付部と、を備えてなり、
前記ハンドル取付部は、その両側面に前記ハンドルの軸部を軸受けする軸受穴を有し、
前記ハンドル収納凹部は、前記軸受穴の近傍における前記ハンドル収納凹部の内壁から突設された止め部を有することを特徴する。
【０００７】
また、上述した構成に加え、止め部は、略立方形状に形成されることが好ましい。
【０００８】
また、上述した構成に加え、ハンドル収納凹部は、ハンドル取付部の軸受穴の近傍において、前記ハンドル収納凹部の底面部よりも低い段部を有することが好ましい。
【０００９】
また、上述した構成に加え、ハンドル取付部は、軸受穴の上縁付近に設けられた孔部を有することが好ましい。
【００１０】
また、上述した構成に加え、孔部は、複数の小孔からなることが好ましい。
【００１１】
また、上述した構成に加え、ハンドルは、把手部と、前記把手部の両端から直角方向に延出された縦杆部と、が一体形成され、前記縦杆部は、長手方向の先端においてハンドル収納凹部の段部の湾曲面と同程度の湾曲で丸みを帯びて形成された第一角部と、他方を直角形状に形成した第二角部と、を有することが好ましい。
【考案の効果】
【００１２】
請求項１−５記載の考案によって、製造時においてドライバー等の工具を使用せずにハンドルを容易に取付作業が行なうことができるとともに、ハンドルの軸部に掛かる荷重に対してハンドル取付部の両側面に設けられた孔部によって蓋体のハンドル取付部が若干の弾性変形することで荷重を分散させ、かつ、止め部によってハンドルの縦杆部の拡開を抑制することでハンドルの脱落を防止することが可能である。
【００１３】
また、請求項６記載の考案によって、第一角部がハンドル収納凹部の段部に接触しないためハンドルの立ち上がらせる回動を阻害しないようにすることができるとともに、第二角部が段部と接触することで適度な摩擦抵抗をハンドルに付与することで、適度なクリック感を与えるとともにハンドルのみでほぼ垂直方向に自立させることが可能である。また、この直角形状の第二角部によって、ハンドルが外れそうになった際に、止め部と十分に当接しうる面積を備えるためハンドルの縦杆部の拡開を抑制することが可能である。
【図面の簡単な説明】
【００１４】
【図１】本考案の実施形態に係る収納容器のハンドル取付構造を示す分解斜視図、及び、ハンドル取付部の軸受穴周辺を背面方向から見た部分拡大斜視図である。
【図２】図１のハンドル収納凹部及びハンドル取付部を示す平面図である。
【図３】図２のハンドル取付部の軸受穴周辺を示すＣ−Ｃ部分におけるＡ−Ａ線部分拡大断面図である。
【図４】図２のハンドル収納凹部の止め部周辺を示すＣ−Ｃ部分におけるＢ−Ｂ線部分拡大断面図である。
【図５】図２のハンドル取付部にハンドルの軸部を差し込んだ状態におけるハンドル取付構造の拡大平面図及び溝部周辺を示す部分拡大断面図である。
【図６】ハンドルを蓋体の上面に対して回動させて略垂直方向に自立させた状態を示すハンドル路取付構造周辺の部分拡大断面図である。
【考案を実施するための形態】
【００１５】
本実施形態の収納容器のハンドル取付構造の一例について図１−６に基づいて詳細に説明する。
【００１６】
収納容器の全体の形状について図１に基づいて説明する。
容器本体２は、工具や釣具などを収納するため上面を開放した中空の収納空間を有するものであり、蓋体１は、容器本体２の上面を被蓋するように容器本体２の一辺においてヒンジ機構によって開閉自在に軸着されたものである。
【００１７】
ハンドル３０は、手指で握るための把手部３１と、把手部３１の両端から直角方向に延出された縦杆部３２、３２と、が一体形成されたものである。この縦杆部３２、３２の先端付近に縦杆部３２、３２同士の内側面より突出して対向する軸部３２ａ、３２ａを有する。
【００１８】
軸部３２ａ、３２ａは、略円柱状であり、その先端面の一部を切り欠いて先細り状に形成されており、後述するハンドル取付部２０における溝部２３、２３に沿って軸受穴２１、２１に差し込むことを容易にすることが可能である。なお、この軸部３２ａ、３２ａの先端面は、少なくとも先端面の３分の１程度を切り欠いてテーパー状にすることが好適である。
【００１９】
また、ハンドル３０の縦杆部３２、３２は、ハンドル収納凹部１０から蓋体１に対して垂直方向に回動させて立ち上がる回動動作を阻害しないようにするため、ハンドル３０を蓋体１に対して水平方向に倒した状態においてハンドル収納凹部１０に対向する長手方向の先端において後述するハンドル収納凹部１０の段部１２、１２の湾曲面１２ｂと同程度の湾曲で丸みを帯びて形成された第一角部３２ｂ、３２ｂを有する。
【００２０】
また、縦杆部３２、３２の丸みを帯びた第一角部３２ｂ、３２ｂの反対側に位置する他方の第二角部３２ｃ、３２ｃは、図１、６に示すように直角形状に形成することで、ハンドル３０を回動させて蓋体１の上面に対して垂直方向に立ち上げた際に、やや前方に傾斜しながら他方の第二角部３２ｃ、３２ｃが、段部１２、１２と接触することで適度な摩擦抵抗をハンドル３０に付与することで、適度なクリック感を与えるとともにハンドル３０のみでほぼ垂直方向に自立させることが可能である。また、この直角形状の第二角部３２ｃ、３２ｃは、ハンドル３０の縦杆部３２、３２を側面に対して、後述する止め部１３、１３と十分に当接しうる面積を備えることができる。
【００２１】
なお、このハンドル３０は、把手部３１を中空の筒状体とするとともに、縦杆部３２、３２の外側面が開放された溝状に形成することで、より一層軽量化することが好適である。
【００２２】
次に、ハンドル取付構造について図１−６に基づいて説明する。
ハンドル取付構造は、蓋体１の上面に凹状に形成されたハンドル３０を収納するためのハンドル収納凹部１０と、ハンドル３０の軸部３２ａ、３２ａを回動自在に軸着するハンドル取付部２０と、からなるものである。
【００２３】
ハンドル収納凹部１０は、ハンドル３０を蓋体１の上面の中央付近に横長の略長方形の凹状になるように内壁１４、１４に底面部１１が囲まれるように形成され、この内壁１４、１４は、少なくともハンドル３０を水平方向に倒した状態で蓋体１の上面より露出しない程度の高さを有する。
【００２４】
また、ハンドル収納凹部１０は、ハンドル取付部２０の軸受穴２１、２１の近傍において、ハンドル収納凹部１０の底面部１１よりも低い段部１２、１２と、内壁１４、１４の入隅付近から突設され、ハンドル３０の縦杆部３２、３２の外側面に当接する止め部１３、１３と、を有する。
【００２５】
段部１２、１２は、平坦面１２ａと、ハンドル収納凹部１０の底面部１１に向かって反り上がった湾曲面１２ｂと、が連続した面一に形成されたものであり、この湾曲面１２ｂは、上述したように、ハンドル３０の縦杆部３２、３２の第一角部３２ｂ、３２ｂに対して回動動作を阻害しない程度に湾曲させたものである（特に図３、４参照）。
【００２６】
止め部１３、１３は、ハンドル収納凹部１０の底面部１１と同一平面上に位置する高さと、ハンドル３０の縦杆部３２、３２の外側面に当接し得る程度の横幅と、を備えた縦長の略立方形状に形成される（図２、４参照）。
【００２７】
ハンドル取付部２０は、ハンドル収納凹部１０内の手前側の内壁１４から突出して横長の直方体状に設けられ、そのハンドル取付部２０の両側面には、ハンドル３０の軸部３２ａ、３２ａを回動自在に軸受けする軸受穴２１、２１と、軸受穴２１，２１まで軸部３２ａ、３２ａを滑り込ませて案内する溝部２３、２３と、軸受穴２１、２１及び溝部２３、２３の上縁側に形成された孔部２２、２２と、を有する（図２、３参照）。
【００２８】
溝部２３、２３は、製造時においてハンドル３０の取付作業を行う際に、ハンドル３０を略水平方向に倒しながら軸部３２ａ、３２ａを滑り込ませながら差し込むために、ハンドル収納凹部１０の底面部１１側から軸受穴２１、２１に向かって水平方向に沿って形成され、この溝部２３、２３は軸受穴２１、２１に向かって深さがなくなるように傾斜して形成されている（図５参照）。
【００２９】
孔部２２、２２は、軸受穴２１、２１よりも小さい径と、少なくとも軸受穴２１、２１と同程度の深さを備え、溝部２３、２３及び軸受穴２１、２１の上縁周辺に水平方向に複数配設された小孔からなるものである。また、その孔部２２、２２の断面形状は、ハンドル取付部２０上面と軸受穴２１、２１との間の厚みが一定となるように形成されるものであり、台形形状、方形状、及び、扇型形状などに適宜形成することが好適である。
【００３０】
なお、上述した容器本体２、蓋体１、及び、ハンドル３０は、軽量かつ耐衝撃性の高いポリプロピレン等の合成樹脂材を主体とする素材で射出成形されるものであることが好適である。
【００３１】
したがって、上述した収納容器のハンドル取付構造のハンドル収納凹部１０の内壁１４、１４から突設された止め部１３、１３によって、ハンドル３０の縦杆部３２、３２の外側面側に当接することでハンドル３０の縦杆部３２、３２の拡開を抑制することでハンドル３０の脱落を防止することが可能である。
【００３２】
また、ハンドル取付部２０の溝部２３、２３及び孔部２２、２２によって、収納容器の製造時においてドライバー等の工具を使用せずにハンドル３０の取付作業を容易に行なうことができるとともに、ハンドル取付部２０の両側面に設けられた孔部２２、２２の若干の弾性変形を許容することによって軸部３２ａ、３２ａに掛かる荷重を分散させることで軸部３２ａ、３２ａの変形を抑制してハンドル３０の脱落を防止することが可能である。
【符号の説明】
【００３３】
1  蓋体、
2  容器本体、
10  ハンドル収納凹部、11  底面部、12  段部、12a  平坦面、12b  湾曲面、13  止め部、14  内壁、
20  ハンドル取付部、21  軸受穴、22  孔部、23  溝部、
30  ハンドル、31  把手部、32  縦杆部、32a  軸部、32b  第一角部、32c  第二角部
【図１】
0003229290.tif 000003
【図２】
0003229290.tif 000004
【図３】
0003229290.tif 000005
【図４】
0003229290.tif 000006
【図５】
0003229290.tif 000007
【図６】
0003229290.tif 000008